(57)【要約】ＥＵＶ用途向けの光学系の少なくとも１つのシステムコンポーネント（２４）のための冷却システムが、少なくとも１つの冷却チャネル（９０）と、少なくとも１つの冷却チャネル（９０）を通って少なくとも１つのシステムコンポーネント（２４）から熱を吸収し、熱を奪い去る冷却媒体（９２）とを備える。冷却媒体（９２）は、純水、１，１，１，２−テトラフルオロエタン（Ｒ１３４ａ）、及びクロロジフルオロメタン（Ｒ２２）を除く誘電性流体を含む。誘電性流体は、１０ｂａｒ未満の使用圧力及び約１０℃〜約５０℃の温度範囲で液相を含む。【選択図】図２
2016505882.tif 000002
【特許請求の範囲】
【請求項１】
ＥＵＶ用途向けの光学系（１０、１２、１８、３２、３８、４４）の少なくとも１つのシステムコンポーネント（１６、２２、２４、２６、２８、３４、４０、５２、５４）のための冷却システムであって、少なくとも１つの冷却チャネル（９０；１０８）と、該少なくとも１つの冷却チャネルを通って前記少なくとも１つのシステムコンポーネント（１６、２２、２４、２６、２８、３４、４０、５２、５４）から熱を吸収し、該熱を奪い去る冷却媒体（９２）とを備え、該冷却媒体（９２）は、純水、１，１，１，２−テトラフルオロエタン（Ｒ１３４ａ）、及びクロロジフルオロメタン（Ｒ２２）を除く、好ましくは不燃性の誘電性流体を含む冷却システムにおいて、前記誘電性流体は、１０ｂａｒ未満の使用圧力及び約１０℃〜約５０℃の温度範囲で液相を含むことを特徴とする冷却システム。
【請求項２】
請求項１に記載の冷却システムにおいて、前記誘電性流体は、１０ｂａｒ未満の使用圧力及び約１５℃〜約３５℃の温度範囲で液相を含むことを特徴とする冷却システム。
【請求項３】
請求項１又は２に記載の冷却システムにおいて、前記誘電性流体は、（トランス）−１−クロロ‐３，３，３−トリフルオロプロペン（Ｒ１２３３ｚｄ（Ｅ）），２，３，３，３−テトラフルオロプロペン（Ｒ１２３４ｙｆ）、１，３，３，−テトラフルオロプロペン（Ｒ１２３４ｚｅ）、１，１，１，３，３，３−ヘキサフルオロプロパン（Ｒ２３６ｆａ）、１，１，１３，３−ペンタフルオロプロパン（Ｒ２４５ｆａ）、ドデカフルオロ−２−メチルペンタン−３−オン（Ｎｏｖｅｃ６４９）；１−メトキシヘプタフルオロプロパン（Ｎｏｖｅｃ７０００）、メトキシ−ノナフルオロブタン（Ｎｏｖｅｃ７１００）、エトキシ−ノナフルオロブタン（Ｎｏｖｅｃ７２００）、ペンタン，１，１，１，２，２，３，４，５，５，５−デカフルオロ−３−メトキシ−４−（トリフルオロメチル（trfluoromethyl））−（Ｎｏｖｅｃ７３００）、ヘキサン，３，エトキシ−１，１，１，２，３，４，４，５，５，６，６，６−ドデカフルオロ−２−（トリフルオロメチル）ヘキサン（Ｎｏｖｅｃ７５００）、テトラデカフルオロ−２−メチルヘキサン−３−オン  テトラデカフルオロ−２，４−ジメチルペンタン−３−オン（Ｎｏｖｅｃ７７４）、１，１，１，２，２，３，３，４，４，５，５，６，６，６−テトラデカフルオロヘキサン（ＦＣ７２）、パーフルオロトリ−Ｎ−ブチルアミン（ＦＣ４３）、パーフルオロトリペンチルアミン（ＦＣ７０）、パーフルオロトリプロピルアミン（ＦＣ３２８３）を含む群から選択されることを特徴とする冷却システム。
【請求項４】
請求項１又は２に記載の冷却システムにおいて、前記誘電性流体は、約２２℃の温度で１０ｂａｒよりも低く０．８ｂａｒよりも高い範囲の飽和圧力を有することを特徴とする冷却システム。
【請求項５】
請求項４に記載の冷却システムにおいて、前記誘電性流体は、Ｒ１２３３ｚｄ（Ｅ）、Ｒ１２３４ｙｆ、Ｒ１２３４ｚｅ、Ｒ２３６ｆａ、Ｒ２４５ｆａを含む群から選択されることを特徴とする冷却システム。
【請求項６】
請求項１〜５のいずれか１項に記載の冷却システムにおいて、前記少なくとも１つの冷却チャネル（９０；１０８）内の前記誘電性流体は、液相でのみ存在することを特徴とする冷却システム。
【請求項７】
請求項１〜５のいずれか１項に記載の冷却システムにおいて、前記少なくとも１つの冷却チャネル（９０；１０８）内の前記誘電性流体は、液相及び気相の混合物として存在することを特徴とする冷却システム。
【請求項８】
請求項７に記載の冷却システムにおいて、前記誘電性流体は、Ｒ１２３３ｚｄ（Ｅ）、Ｒ２４５ｆａを含む群から選択されることを特徴とする冷却システム。
【請求項９】
請求項１〜８のいずれか１項に記載の冷却システムにおいて、前記少なくとも１つの冷却チャネル（９０；１０８）内の前記誘電性流体は、大気圧に概ね相当する使用圧力下にあることを特徴とする冷却システム。
【請求項１０】
請求項１〜９のいずれか１項に記載の冷却システムにおいて、前記少なくとも１つの冷却チャネル（９０；１０８）内の前記誘電性流体は、約１０℃〜約５０℃の範囲、好ましくは約１５℃〜約３５℃の範囲の温度を有することを特徴とする冷却システム。
【請求項１１】
請求項１〜１０のいずれか１項に記載の冷却システムにおいて、前記誘電性流体は、大気圧で約１０℃〜約５０℃の温度範囲、好ましくは約１５℃〜約３５℃の温度範囲の沸点を有することを特徴とする冷却システム。
【請求項１２】
請求項１１に記載の冷却システムにおいて、前記誘電性流体は、Ｒ１２３３ｚｄ（Ｅ）、Ｒ２４５ｆａ、Ｎｏｖｅｃ６４９、Ｎｏｖｅｃ７０００を含む群から選択されることを特徴とする冷却システム。
【請求項１３】
請求項１〜１２のいずれか１項に記載の冷却システムにおいて、前記誘電性流体は、約１０ＭＶ／ｍ〜約７０ＭＶ／ｍの範囲の絶縁耐力を有することを特徴とする冷却システム。
【請求項１４】
請求項１〜１３のいずれか１項に記載の冷却システムにおいて、前記誘電性流体は、約２２℃の温度及び大気圧で約１００μＰａ・ｓ〜約２５０００μＰａ・ｓの範囲の動粘度を有することを特徴とする冷却システム。
【請求項１５】
請求項１〜１４のいずれか１項に記載の冷却システムにおいて、前記冷却媒体（９２）の質量流量が、約２ｋｇ／ｈ〜約３０ｋｇ／ｈの範囲にあることを特徴とする冷却システム。
【請求項１６】
請求項１〜１５のいずれか１項に記載の冷却システムにおいて、該冷却システムにおける圧力降下が、約１０Ｐａ〜約２５０Ｐａの範囲にあることを特徴とする冷却システム。
【請求項１７】
請求項１〜１６のいずれか１項に記載の冷却システムにおいて、質量流量の関数としての圧力降下の変化が、８Ｐａ／（ｋｇ／ｈ））未満、好ましくは約０．３Ｐａ／（ｋｇ／ｈ））〜約３Ｐａ／（ｋｇ／ｈ））の範囲にあることを特徴とする冷却システム。
【請求項１８】
ＥＵＶ用途向けの光学系（１０、１２、１８、３２、３８、４４）の少なくとも１つのシステムコンポーネント（１６、２２、２４、２６、２８、３４、４０、５２、５４）のための冷却システムであって、少なくとも１つの冷却チャネル（９０；１０８）と、該少なくとも１つの冷却チャネルを通って前記少なくとも１つのシステムコンポーネント（１６、２２、２４、２６、２８、３４、４０、５２、５４）から熱を吸収し、該熱を奪い去る冷却媒体（９２）とを備え、該冷却媒体（９２）は、１，１，１，２−テトラフルオロエタン（Ｒ１３４ａ）を含む冷却システムにおいて、誘電性流体が、前記少なくとも１つの冷却チャネル（９０；１０８）内に液相でのみ存在することを特徴とする冷却システム。
【請求項１９】
請求項１８に記載の冷却システムにおいて、前記冷却媒体（９２）は、約６．１ｂａｒよりも高く、好ましくは約１０ｂａｒ未満の使用圧力下で、約１０℃〜約３０℃の範囲の温度にあることを特徴とする冷却システム。
【請求項２０】
請求項１８又は１９に記載の冷却システムにおいて、前記冷却媒体（９２）の質量流量が、約２ｋｇ／ｈ〜約３０ｋｇ／ｈの範囲にあることを特徴とする冷却システム。
【請求項２１】
請求項１８〜２０のいずれか１項に記載の冷却システムにおいて、該冷却システムにおける圧力降下が、約１０Ｐａ〜約２５０Ｐａの範囲にあることを特徴とする冷却システム。
【請求項２２】
請求項１８〜２１のいずれか１項に記載の冷却システムにおいて、質量流量の関数としての圧力降下の変化が、８Ｐａ／（ｋｇ／ｈ））未満、好ましくは約０．３Ｐａ／（ｋｇ／ｈ））〜約３Ｐａ／（ｋｇ／ｈ））の範囲にあることを特徴とする冷却システム。
【請求項２３】
請求項１〜２２のいずれか１項に記載の冷却システムにおいて、前記誘電性流体は、フルオロオカーボン系、パーフルオロカーボン系、又はハイドロフルオロエオーテル系であることを特徴とする冷却システム。
【請求項２４】
請求項１〜２３のいずれか１項に記載の冷却システムにおいて、前記少なくとも１つの冷却チャネル（１０８）を、前記光学系又は該光学系の構造体に組み込むか、又は前記少なくとも１つのシステムコンポーネント（１６、２２、２４、２６、４０）に組み込んだことを特徴とする冷却システム。
【請求項２５】
請求項１〜２４のいずれか１項に記載の冷却システムにおいて、前記少なくとも１つの冷却チャネル（９０）を、前記光学系若しくは該光学系の構造体若しくは前記少なくとも１つのシステムコンポーネント（２４）に熱伝導的に接続されるか、又は熱放射、対流、若しくはガス伝導によって前記光学系若しくは該光学系の構造体若しくは前記少なくとも１つのシステムコンポーネント（２４）から熱を吸収するヒートシンク（８６）に配置したことを特徴とする冷却システム。
【請求項２６】
請求項１〜２５のいずれか１項に記載の冷却システム（６２、６４、６６、６８、７０、７２、７４、７６）を特徴とする、ＥＵＶ用途向けの光学系（１０、１２、１８、３２、３８、４４）のシステムコンポーネント。
【請求項２７】
請求項２６に記載のシステムコンポーネントにおいて、該システムコンポーネントは、光学素子、機械要素、アクチュエータ（５２、５４）、及び／又はセンサであることを特徴とするシステムコンポーネント。
【請求項２８】
請求項１〜２５のいずれか１項に記載の少なくとも１つの冷却システム（６２、６４、６６、６８、７０、７２、７４、７６）を特徴とする、請求項２６又は２７に記載の少なくとも１つのシステムコンポーネント（１６、２２、２４、２６、２８、３４、４０、５２、５４）を備えたＥＵＶ用途向けの光学系。
【請求項２９】
請求項２８に記載の光学系において、該光学系は、リソグラフィ用のＥＵＶ投影露光装置の少なくとも１つのサブシステム（１２、１８、３２、３８、４４）又はＥＵＶ投影露光装置全体であることを特徴とする光学系。
【請求項３０】
請求項２９に記載の光学系において、前記少なくとも１つのサブシステム（１２、１８、３２、３８、４４）は、放射線発生システム、照明システム、投影システム、及び／又はウェーハシステムであることを特徴とする光学系。
【発明の詳細な説明】
【技術分野】
【０００１】
本発明は、第１態様によれば請求項１のプリアンブルに記載の、また別の態様によれば請求項１８に記載の、少なくとも１つの冷却チャネルと、当該少なくとも１つの冷却チャネルを通って少なくとも１つのシステムコンポーネントから熱を吸収し熱を奪い去る冷却媒体とを備えた、ＥＵＶ用途向けの光学系の少なくとも１つのシステムコンポーネントのための冷却システムに関する。
【０００２】
本発明はさらに、ＥＵＶ用途向けの光学系のシステムコンポーネントと、上述の種類の冷却システムを備えたＥＵＶ用途向けの光学系とに関する。
【０００３】
冷却システムと、ＥＵＶ用途向けのシステムコンポーネント及び光学系とは、例えば特許文献１及び特許文献２から既知である。
【０００４】
本発明の意味の範囲内におけるＥＵＶ用途向けの光学系は、特に、ＥＵＶ投影露光装置又はかかるＥＵＶ投影露光装置のサブシステムである。
【０００５】
本発明の意味の範囲内におけるかかるＥＵＶ投影露光装置のシステムコンポーネントは、特に光学素子、特にミラーである。
【０００６】
リソグラフィ用の投影露光装置は、例えば、微細構造電子コンポーネントの製造に用いられる。ＥＵＶ投影露光装置は、短波長放射で、正確には例えば約５ｎｍ〜約２０ｎｍの範囲の波長の極紫外線の放射、略してＥＵＶ放射で動作する。
【０００７】
ＥＵＶ用途向けの光学系の場合に生じる技術的問題は、特に、光学系の光学素子がＥＵＶ放射を受けることにより大きく加熱されることである。入熱は光学素子の加熱につながり、その結果、光学素子が動作中に変形し得る。光学素子が１つ変形しただけでも、光学系の望ましくない結像収差を招き得る。
【０００８】
したがって、対応した冷却を行うために、光学系の個々の又は全部のシステムコンポーネントからＥＵＶ放射の作用により動作中の光学系へ入力された熱を奪い去る役割を果たす冷却システムが提案されてきた。しかしながら、光学素子の高い熱流密度及び光学素子の比較的高い熱抵抗に起因して、また光学素子の変形に関する安定性の要件に起因して、現代のＥＵＶリソグラフィシステムにおける光学系の冷却は困難である。重要なコンポーネント及び材料の過熱を防止するために、冷却媒体は、システムから熱を十分に除去できなければならず、これは材料の選択及びシステムの性能設定に依存する。
【０００９】
導入部分で引用した特許文献１は、１つ又は複数の光学素子に複数の冷却チャネルを設け、上記冷却チャネルに冷却媒体を通すことを提案しているが、冷却媒体は、任意の適当な流体又は導電性であり比較的高い熱容量（heating capacity）を有する液体であることが意図されることは別として、上記文献ではより詳細に記載されていない。
【００１０】
ＥＵＶ用途向けの光学系のための既知の冷却システムは、特に、例えば水及びグリコールの混合物等の冷却媒体を用いる。グリコール又は水・グリコール混合物等のクーラントの使用は、システムコンポーネントの、特に光学系の光学素子の汚染の危険を伴う。
【００１１】
ＥＵＶ用途向けの光学系のための既知の冷却システムのさらに他の欠点は、用いられる冷却媒体が、通常は銅及びアルミニウム等の材料を含むシステムコンポーネントに関して多くの場合に腐食作用を有することを含む。
【００１２】
例えば液体窒素を用いた低温冷却も提案されているが、これには、この低い冷却温度が、通常は普通の室温である光学系の周囲温度よりも著しく低い結果として、周囲環境からの冷却システムの熱的分離に関して高い費用を費やさなければならないという欠点がある。
【００１３】
特許文献２は、２相冷却システムとして構成した冷却システムを開示しており、すなわち、用いられる冷却媒体は、システム内で気体（蒸気）及び液体状態で存在する。この文献は、冷却流体として以下の流体を用いることを提案している：アンモニア、Ｈ２Ｓ、ＣＯ２、Ｒ３２、プロパン、Ｒ２２、２−ブタン、Ｒ４１、Ｎ２Ｏ、エタン、プロピレン、ＤＭＥ、及びＲ１３４ａ。これらの流体の大半は、２２℃の飽和温度で１０ｂａｒよりも高い圧力を必要とし、これは冷却システムの耐漏性の確保に対して高い要件を課し、したがって冷却システムに必要な構造費用を高くする。この文献で冷却媒体として提案された流体のいくつかは、誘電性流体、例えばＲ２２及びＲ１３４ａである。
【００１４】
従来の冷却システムのさらに他の欠点は、凝縮の危険、冷却媒体の供給領域における比較的大きな温度勾配、及び重要なシステムコンポーネントの温度に左右された変形の危険を含む。
【先行技術文献】
【特許文献】
【００１５】
【特許文献１】米国特許第７，５９１，５６１号明細書
【特許文献２】米国出願公開第２０１２／０２６７５５０号明細書
【発明の概要】
【発明が解決しようとする課題】
【００１６】
本発明の目的は、第１に光学系又はそのシステムコンポーネントから熱を効果的に奪い去ることが可能であり、第２に伴う費用がほとんどなく低温冷却の場合のような低温を用いずに済むという趣旨で、導入部分で述べた種類の冷却システムを開発することである。
【課題を解決するための手段】
【００１７】
本発明の第１態様によれば、この目的は、誘電性流体が１０ｂａｒ未満の使用圧力及び約１０℃〜約５０℃の温度範囲で液相を含むことにより、請求項１のプリアンブルに記載の冷却システムに関して達成される。
【００１８】
ＥＵＶ用途向けの光学系のための冷却媒体としての誘電性流体には、概して、ＥＵＶシステムの所望の使用温度で、すなわち約２０℃〜約２２℃の範囲で、単相冷却の場合の空気又は窒素ガスと比べて高い熱移動及び高い熱奪取能力を可能にする温度特性を有するという利点がある。誘電性流体には、例えば銅及びアルミニウム等のシステムコンポーネントの材料との適合性がより高く、特に銅及びアルミニウム等の典型的な構造材料と接触した場合の腐食作用がより少ないという、純水を凌ぐ主な利点がある。この理由から、誘電性流体とみなすことができる純水は、ＣＯ２等のガスを吸収することが材料適合性の低下に、ひいてはより高い腐食の危険性につながるので、本発明による冷却媒体としての選択から除外される。
【００１９】
冷却媒体としての誘電性流体のさらに別の利点は、誘電性流体に導電性がないことにより、冷却媒体が逃げる漏洩の場合に光学系の電子コンポーネントが損傷を受けないことである。
【００２０】
しかしながら、利用可能な誘電性流体の多くは大気圧（およそ１ｂａｒ）で非常に低い沸点を有し、したがって流体の十分な部分を液相で又は液相及び気相の混合物として有するために高い使用圧力下で流体を操作する必要があるので、利用可能な誘電性流体の全てがＥＵＶ用途向けの冷却システムでの使用に適した選択肢であるとは限らない。最大のシステム使用圧力は、構造費用上の理由から冷却媒体を選択する際の重要な基準であることに留意されたい。したがって、本発明によれば、誘電性流体は、１０ｂａｒ未満の使用圧力及び約１０℃〜約５０℃の温度範囲、好ましくは約１５℃〜約３５℃の温度範囲で液相を含む冷却媒体として選択される。
【００２１】
さらに、本発明によれば、誘電性流体は、好ましくは不燃性であり、アンモニア又はグリコール等の従来の冷却媒体と比べて火災の危険を減らすか又は完全に回避さえする。
【００２２】
本発明の第１態様による冷却システムの冷却媒体は、単一の誘電性流体からなり得るか、又は他の冷却媒体との混合物の成分としての誘電性流体であり得る。
【００２３】
好適な構成では、誘電性流体は、（トランス）−１−クロロ‐３，３，３−トリフルオロプロペン（Ｒ１２３３ｚｄ（Ｅ）），２，３，３，３−テトラフルオロプロペン（Ｒ１２３４ｙｆ）、１，３，３，−テトラフルオロプロペン（Ｒ１２３４ｚｅ）、１，１，１，３，３，３−ヘキサフルオロプロパン（Ｒ２３６ｆａ）、１，１，１３，３−ペンタフルオロプロパン（Ｒ２４５ｆａ）、ドデカフルオロ−２−メチルペンタン−３−オン（Ｎｏｖｅｃ６４９）；１−メトキシヘプタフルオロプロパン（Ｎｏｖｅｃ７０００）、メトキシ−ノナフルオロブタン（Ｎｏｖｅｃ７１００）、エトキシ−ノナフルオロブタン（Ｎｏｖｅｃ７２００）、ペンタン，１，１，１，２，２，３，４，５，５，５−デカフルオロ−３−メトキシ−４−（トリフルオロメチル（trfluoromethyl））−（Ｎｏｖｅｃ７３００）、ヘキサン，３，エトキシ−１，１，１，２，３，４，４，５，５，６，６，６−ドデカフルオロ−２−（トリフルオロメチル）ヘキサン（Ｎｏｖｅｃ７５００）、テトラデカフルオロ−２−メチルヘキサン−３−オン  テトラデカフルオロ−２，４−ジメチルペンタン−３−オン（Ｎｏｖｅｃ７７４）、１，１，１，２，２，３，３，４，４，５，５，６，６，６−テトラデカフルオロヘキサン（ＦＣ７２）、パーフルオロトリ−Ｎ−ブチルアミン（ＦＣ４３）、パーフルオロトリペンチルアミン（ＦＣ７０）、パーフルオロトリプロピルアミン（ＦＣ３２８３）を含む群から選択される。
【００２４】
上記誘電性流体は、ＥＵＶシステムに主に適した冷却媒体であり、これらの流体は、上記圧力及び温度範囲で液体である。さらに、これらの流体は、単相冷却だけでなく２相冷却で用いることができる。
【００２５】
上記誘電性流体の全てがＥＵＶ用途向けの冷却システムで主に使用可能だが、誘電性流体が約２２℃の温度で１０ｂａｒよりも低く０．８ｂａｒよりも高い範囲の飽和圧力を有すればさらに好ましい。
【００２６】
すでに上述したように、利用可能な誘電性流体の全てが上記圧力及び温度範囲の飽和圧力を有するとは限らず、大気圧をはるかに下回る飽和圧力を有し、したがって単相冷却で液相であるには非常に高い使用圧力を必要とする。上記温度で非常に低い飽和圧力を有する流体を２相冷却（蒸気及び液体）で用いる場合、流体の使用圧力は大気圧をはるかに下回り、これは、わずかな漏れでも冷却システムへの空気汚染が生じ得ることを意味する。さらに、真空条件下で働く誘電性流体の使用には、凝縮器において誘電性流体の液相と凝縮しないガスを回収し除去するための特別な脱気装置が必要である。しかしながら、これらの脱気システムは、この過程で作動流体の一部を除去するので、追加の作動流体を加えるための補充流体システムも必要である。さらに、冷却システムに入る水分を除去するために、水分を吸収する付加的なコンポーネントが必要である。したがって、大気圧未満の誘電性流体の使用は、ＥＵＶ用途向けの光学系の冷却において最良の選択肢ではない。
【００２７】
約２２℃の温度で１０ｂａｒよりも低く０．８ｂａｒよりも高い飽和圧力を有する本発明による好適な誘電性流体は、Ｒ１２３３ｚｄ（Ｅ）、Ｒ１２３４ｙｆ、Ｒ１２３４ｚｅ、Ｒ２３６ｆａ、Ｒ２４５ｆａである。
【００２８】
これらの誘電性流体のうち、Ｒ１２３３ｚｄ（Ｅ）が特に好適だが、それはこの流体が２２℃の温度で１．１４ｂａｒの飽和圧力を有するからである。したがって、この誘電性流体を２相冷却で用いる場合、冷却システムを大気圧よりもわずかに高い使用圧力下で動作させることで、システムの漏洩時の空気汚染の危険性を回避することができる。２２℃の温度での飽和圧力は、Ｒ１２３４ｙｆは６．１８ｂａｒ、Ｒ１２３４ｚｅは４．４５ｂａｒ、Ｒ２３６ｆａは２．４６ｂａｒ、及びＲ２４５ｆａは１．３２ｂａｒなので、Ｒ２４５ｆａ及びＲ２３６ｆａもこの態様で有用である。
【００２９】
少なくとも１つの冷却チャネル内の誘電性流体は、単相で、すなわち液相で存在し得るか、又は２相で、すなわち液相及び気相の混合物として存在し得る。
【００３０】
冷却媒体が液相で（単相冷却）又は液相及び気相の混合物として（２相冷却）存在する場合、特に、冷却媒体が、液体から気体への相転移で潜熱として、正確には冷却媒体の非常に高い熱容量及び対応して小さな温度上昇で、少なくとも１つのシステムコンポーネントから熱を吸収できるという効果を利用することが可能である。約２５℃の温度で高い潜熱を有する誘電性流体は、Ｒ１２３３ｚｄ（Ｅ）（１９１．１ｋＪｋｇ−１）、Ｒ１２３４ｙｆ（１４３．９ｋＪｋｇ−１）、Ｒ１２３４ｚｅ（１６７．１ｋＪｋｇ−１）、Ｒ２３６ｆａ（１４５．９ｋＪｋｇ−１）、及びＲ２４５ｆａ（１９０．３ｋＪｋｇ−１）であり、これらの誘電性流体が、約１８℃〜３０℃の範囲の温度でのそれらの飽和圧力に起因するだけでなくそれらの高い潜熱を考慮しても適している。高い潜熱を有する別の誘電性流体は、Ｎｏｖｅｃ７０００（２５℃で１４２．０ｋＪｋｇ−１）である。
【００３１】
２相冷却で特に好適なのは、Ｒ１２３３ｚｄ（Ｅ）及びＲ２４５ｆａである。
【００３２】
沸点が大気圧でおよそ３０℃の範囲にある不燃性の誘電性流体を得ることができ、これは本発明に関して特に有利であるが、その理由は、冷却媒体が少なくとも１つのシステムコンポーネントからの熱を潜熱として吸収できるようにする上述の効果を、光学系の所望の使用温度の範囲で、特に周囲圧力で利用できるからである。これは、冷却システムが、この目的で冷却媒体を加圧する必要なく少なくとも１つのシステムコンポーネント又は光学系の安定した温度を光学系の所望の使用温度付近で維持できることを意味する。
【００３３】
誘電性流体の相は、したがって熱交換中に変わり得る。同じく言うまでもなく、冷却媒体の相は、冷却システムの部分毎に異なる場合があり、特定の部分内でも経時的に又は光学系のシステムパラメータが変わると変わり得る。冷却媒体は、保管中、冷却対象のシステムコンポーネントへの供給中、及び少なくとも１つのシステムコンポーネントからの熱の吸収後の冷却媒体の排出後に、異なる相（液体、気体）をとり得る。この場合、時間的観点及び冷却システムの空間的観点の両方から、冷却媒体の相は異なり得る。
【００３４】
さらに別の好適な構成では、少なくとも１つの冷却チャネル内の誘電性流体は、大気圧に概ね相当する使用圧力下にある。
【００３５】
大気圧は、光学系の地理的な場所に応じて約８００ｍｂａｒ〜１３００ｍｂａｒの範囲にあり得る光学系の通常の外部の周囲圧力を意味するとここでは理解すべきである。言うまでもなく、少なくとも１つのシステムコンポーネント自体は他の圧力下にあり得る。例として、少なくとも１つのシステムコンポーネントは、真空条件下で動作し得る。
【００３６】
冷却媒体が大気圧で、又はポンプ圧に従って大気圧よりもわずかに高い圧力で働き得る場合、冷却システムの耐漏性を確保するための措置は、冷却媒体が大気圧よりも大幅に高い圧力下にある場合と比べて伴う費用が大幅に少ない。
【００３７】
少なくとも１つの冷却チャネル内の誘電性流体が、約１０℃〜約５０℃の範囲の、好ましくは約１５℃〜約３５℃の範囲の温度を有すれば同様に好ましい。
【００３８】
ここでの利点は、低温冷却とは対照的に、誘電性流体の温度調節及び絶縁に費やさなければならない費用が大幅に少ないことである。
【００３９】
冷却媒体が少なくとも１つのシステムコンポーネントからの熱を潜熱として吸収できる（２相冷却）上記効果を利用可能であることを目的として、さらに別の好適な構成では、誘電性流体が、大気圧にて約１０℃〜約５０℃の温度範囲で、好ましくは約１５℃〜約３５℃の温度範囲で沸点を有するようになっている。冷却媒体が単相でのみ操作される場合、より高い沸点、例えば、３０℃よりも高く２００℃以上、例えば２１５℃の沸点が当然ながら可能でありまた望ましくもある。
【００４０】
大気圧にて上記温度範囲で沸点を有する、したがって有利である誘電性流体は、Ｒ１２３３ｚｄ（Ｅ）（１ｂａｒで１８．４℃）、Ｒ２４５ｆａ（１ｂａｒで１４．８℃）、Ｎｏｖｅｃ６４９（１ｂａｒで４９℃）、Ｎｏｖｅｃ７０００（１ｂａｒで３４℃）である。
【００４１】
したがって、この構成では、２相冷却で潜熱として熱を吸収する効果は、光学系の所望の使用温度付近の温度で利用され得ることが有利である。
【００４２】
さらに別の好適な構成では、誘電性流体は、約１０ＭＶ／ｍ〜約７０ＭＶ／ｍの範囲の絶縁耐力を有する。
【００４３】
絶縁耐力は、火花をもたらす最小電圧の尺度であり、当該電圧は、相互に特定の距離だけ離れて誘電性流体を挟んだ２つの電極間のものである。したがって、本発明による冷却システムでは、漏洩の場合に導電部と接触しても短絡につながらない、高い絶縁耐力を有する誘電性流体が選択される。
【００４４】
さらに別の好適な構成では、誘電性流体は、約２２℃の温度及び大気圧で約１００μＰａ・ｓ〜約２５，０００μＰａ・ｓの範囲の動粘度を有する。
【００４５】
低い動粘度には、少なくとも１つの冷却チャネルに沿った圧力の上昇又は降下が最小限であるという利点がある。
【００４６】
２相冷却用途（潜熱移動）では、特に受動冷却用途、例えば熱サイフォン冷却ループシステムでは、動的液体粘度及び液相と気相との間の密度比が重要なパラメータである。これらは、システムの圧力降下及び冷却能力に大きな影響を及ぼし、冷却能力は、冷却ループ内の質量流量に応じて変わる。理想的な冷却媒体は、高い密度比（高い冷却能力）及び低い粘度（小さな圧力降下）を有するものである。誘電性流体Ｎｏｖｅｃ６４９、Ｎｏｖｅｃ７０００、Ｎｏｖｅｃ１１００、Ｎｏｖｅｃ７２００、Ｎｏｖｅｃ７３００、Ｎｏｖｅｃ７５００、Ｎｏｖｅｃ７７７４、ＦＣ７２、ＦＣ４３、ＦＣ７０、及びＦＣ３２８３、並びにエタノール及びメタノールは、流量を増やすが流量を減らす高粘度も有する誘電性流体Ｒ１２３３ｚｄ（Ｅ）、Ｒ１２３４ｙｆ、Ｒ１２３４ｚｅ、Ｒ２３６ｆａ、Ｒ２４５ｆａよりも高い密度比を有する。
【００４７】
例えば、誘電性流体ＦＣ７２をＲ２４５ｆａ及びＲ１２３３ｚｄ（Ｅ）と比べると、ＦＣ７２は熱サイフォンループシステムにとってより適していると思われるが、その理由は、これが、気相又は蒸気相が気液混合物の４０％になる状態でより高い密度比及びより低い粘度を有するからである。ＦＣ７２に関する圧力降下は非常に小さいが、小さな質量流量に対してのみであり、大きな質量流量では圧力降下は激しく増加している。他方では、ＦＣ７２よりも圧力降下が大きなＲ１２３４ｙｆ、Ｒ１２３４ｚｅ、及びＲ２３６ｆａのような誘電性流体があり、質量流量の関数としてのそれらの圧力降下は概ね一定だが、小さな質量流量ではそれらの圧力降下はＦＣ７２よりも大きい。他方では、ＦＣ７２は大きな密度比を有し、これは熱サイフォンループ内での質量流量が大きい可能性があることを意味するが、その圧力降下は、小さな質量流量ではＲ２４５ｆａ及びＲ１２３３ｚｄ（Ｅ）で得られる値と同様であり、大きな質量流量ではそれらよりも大きい。したがって、大きな密度比に関連する潜在的利益は、大きな圧力降下によって相殺される。
【００４８】
本発明による冷却システムの好適な構成では、冷却媒体の質量流量は、約２ｋｇ／ｈ〜約３０ｋｇ／ｈの範囲にある。
【００４９】
さらに別の好適な構成では、冷却システムにおける圧力降下は、約１０Ｐａ〜約２５０Ｐａの範囲にある。
【００５０】
質量流量の関数としての圧力降下の変化が、８Ｐａ／（ｋｇ／ｈ））未満、好ましくは約０．３Ｐａ／（ｋｇ／ｈ））〜約３Ｐａ／（ｋｇ／ｈ））の範囲にあればさらに好ましい。
【００５１】
単相冷却に関して、例示的な一実施形態では、大気圧及び約１５℃〜３０℃の範囲の温度で液体であり、且つ２２℃及び大気圧で約０．３ｃＰ〜１０００ｃＰの動粘度及び１０ＭＶ／ｍ〜約７０ＭＶ／ｍの絶縁耐力を有する不燃性の誘電性流体を利用する。
【００５２】
２相冷却の例示的な一実施形態では、単相冷却用の流体の上記パラメータに加えて１５℃〜４５℃の沸点を有する不燃性の誘電性流体を利用する。
【００５３】
本発明の別の態様によれば、上記目的は、請求項１８のプリアンブルに記載の冷却システムに関して達成され、請求項１８によれば、誘電性流体Ｒ１３４ａが少なくとも１つの冷却チャネル内に液相のみで存在するので、冷却媒体はこの誘電性流体を含む。
【００５４】
本発明のこの態様によれば、誘電性流体Ｒ１３４ａは冷却媒体として、但し単相冷却のみで用いられる。Ｒ１３４ａは、２２℃の温度で６．０８ｂａｒの飽和圧力を有するので、冷却システムは、大気圧よりも高いが耐漏性を得るための構造費用要件に関して高すぎはしない使用圧力下で動作し得る。単相冷却に関しては、比熱（一定の質量流量及び冷却媒体温度の勾配を考えた場合に値が大きいほど高い冷却能力を意味する）及び粘度（冷却システムの圧力降下、したがってポンプ式冷却システムのポンプ動力に関連する）が関連パラメータである。この点で、誘電性流体Ｒ１３４ａは、１４２４．６ＪＫ−１ｋｇ−１という２５℃の温度での高い比熱を示し、これは他の上記誘電性流体の比熱よりも高い。Ｒ１３４ａの動的又は液体粘度もまた、良好な冷却結果（２０２．３μＰａ・ｓ）を得るために十分に高い。したがって、Ｒ１３４ａは、ＥＵＶシステムにおける単（液）相冷却で特に有利である。
【００５５】
上記態様の好適な構成では、冷却媒体は、約６．１ｂａｒよりも高く、好ましくは約１０ｂａｒ未満の使用圧力下で、約１０℃〜約３０℃の範囲の温度にある。
【００５６】
さらに、冷却媒体の質量流量が約２ｋｇ／ｈ〜約３０ｋｇ／ｈの範囲にあれば好ましい。
【００５７】
さらに、冷却システムにおける圧力降下が約１０Ｐａ〜約２５０Ｐａの範囲にあれば好ましい。
【００５８】
特に、Ｒ１３４ａを冷却媒体として用いた場合の冷却システムにおける圧力降下を、この範囲で得ることができる。
【００５９】
さらに、質量流量の関数としての圧力降下の変化が、８Ｐａ／（ｋｇ／ｈ））未満、好ましくは約０．３Ｐａ／（ｋｇ／ｈ））〜約３Ｐａ／（ｋｇ／ｈ））の範囲にあれば好ましい。
【００６０】
特に、Ｒ１３４ａは、質量流量の関数としての圧力降下の変化をほとんど示さない。
【００６１】
本発明による冷却システムの少なくとも１つの冷却チャネルを、光学系又は光学系の構造体に組み込むことができ、この構造体は、例えば光学系若しくは少なくとも１つのシステムコンポーネントが配置されるチャンバ、又は光学系若しくは少なくとも１つのシステムコンポーネントが配置されるプレートを意味すると理解すべきである。或いは上記少なくとも１つの冷却チャネルを、少なくとも１つのシステムコンポーネントに組み込むことができ、又は上記少なくとも１つの冷却チャネルを、構造体若しくは光学系若しくは少なくとも１つのシステムコンポーネントに熱伝導的に接続されるか、又は熱放射、対流、若しくはガス伝導によって少なくとも１つのシステムコンポーネントから熱を吸収するヒートシンクに配置することができる。しかしながら、冷却システムの少なくとも１つの冷却チャネルが、冷却媒体を少なくとも１つのシステムコンポーネントへ供給する役割を果たすだけであり、一方で冷却対象のシステムコンポーネントが浴又は浸漬浴の様式で冷却媒体に少なくとも部分的に浸漬され、冷却媒体が上記冷却対象のシステムコンポーネントの周りを洗浄することも、本発明の範囲内で同様に可能である。
【００６２】
ＥＵＶ用途向けの光学系の本発明によるシステムコンポーネントは、上述の構成の１つ又は複数に従った本発明による冷却システムを備える。
【００６３】
この場合、本発明によるシステムコンポーネントは、好ましくは光学素子、機械要素、アクチュエータ、及び／又はセンサである。
【００６４】
ＥＵＶ用途向けの光学素子は、特にミラーであり、これは、セグメントミラー及びセグメントミラーの個々のミラーセグメントを意味するとも理解すべきである。
【００６５】
機械要素は、例えば光学素子のマウント又はホルダであり得る。
【００６６】
アクチュエータは、例えば光学系の１つ又は複数の光学素子の位置調整を行うか又は光学素子を目標通りに変形させる機能を有し得る。
【００６７】
本発明による冷却システムは、光学系又はそのシステムコンポーネントに関する少なくとも１つの冷却チャネルの特定の空間的定位を必要とせずに、光学系の任意のシステムコンポーネントに組み込まれ得るか又はそれらに割り当てることができる。
【００６８】
上述の種類の少なくとも１つのシステムコンポーネントを備えたＥＵＶ用途向けの本発明による光学系は、上述の構成の１つ又は複数に従った本発明による少なくとも１つの冷却システムを備える。
【００６９】
本発明によるかかる光学系は、リソグラフィ用のＥＵＶ投影露光装置のサブシステム又はＥＵＶ投影露光装置全体であり得る。
【００７０】
光学系がリソグラフィ用のＥＵＶ投影露光装置のサブシステムである場合、サブシステムは、放射線発生システム、照明システム、投影システム、レチクルシステム、及び／又はウェーハシステムであり得る。
【００７１】
サブシステムが放射線発生システムである場合、例えばコレクタミラーを本発明による冷却システムによって冷却することができる。ＥＵＶ投影露光装置の照明システムは、放射線発生システムと投影対物レンズを含む投影システムとの間に位置する。レチクルシステムは、レチクル及び関連のレチクルステージをアクチュエータシステムと共に含み、ウェーハシステムは、ウェーハ、ウェーハステージ、及び関連のアクチュエータシステムを含む。
【００７２】
本発明による冷却システムは、上記サブシステムの１つ又は複数に組み込まれ得るか、又は各サブシステムを外部から冷却し得る。
【００７３】
さらに他の利点及び特徴が、以下の説明及び添付図面から明らかである。
【００７４】
言うまでもなく、上述の特徴及びこれから後述する特徴は、本発明の範囲から逸脱せずに、それぞれ指示される組み合わせだけでなく他の組み合わせで又は単独で用いることができる。
【００７５】
本発明の例示的な実施形態を図面に示し、当該図面を参照してより詳細に後述する。
【図面の簡単な説明】
【００７６】
【図１】ＥＵＶ投影露光装置の形態の光学系を概略図で示す。
【図２】図１の光学系のシステムコンポーネントのための冷却システムを概略図で示す。
【図３】図１の光学系のシステムコンポーネントのための冷却システムのさらに別の例示的な実施形態を示す。
【図４】図１の光学系のシステムコンポーネントのための冷却システムのさらにまた別の例示的な実施形態を示す。
【図５】６つの誘電性流体の飽和曲線の図を示す。
【図６】７つのさらに他の誘電性流体の飽和曲線の別の図を示す。
【図７】４つのさらに他の誘電性流体の飽和曲線のさらに別の図を示す。
【図８】メタノール及びエタノールの飽和曲線のさらに別の図を示す。
【図９】質量流量の関数としての８つの誘電性流体の圧力降下の図を示す。
【発明を実施するための形態】
【００７７】
図１は、包括的な参照符号１０を付けた光学系を示す。図示の例示的な実施形態では、光学系１０は、半導体コンポーネントをリソグラフィで製造するためのＥＵＶ投影露光装置である。
【００７８】
ＥＵＶ投影露光装置は、ＥＵＶ放射線を発生するための放射線発生システム１２を備える。放射線発生システム１２は、システムコンポーネントとして放射線源１４及びコレクタミラー１６を有する。照明システム１８が、放射線伝播方向で放射線発生システム１２の下流に配置され、上記照明システムは、ビーム整形、ビーム均一化、及び物体平面２０内の所定の照射野の発生に役立つ。
【００７９】
照明システム１８は、ここでは例えばシステムコンポーネントとしてミラー２２、２４、２６、２８、及び３０を有する。
【００８０】
さらに、レチクルシステム３２が、放射線伝播方向に見て照明システム１８の下流に配置され、上記レチクルシステムは、システムコンポーネントとしてレチクルステージ３４及びレチクル３６を有し、当該レチクルは物体平面２０に配置される。
【００８１】
さらに、投影システム３８が、放射線伝播方向に見てレチクルシステム３２の下流に配置され、上記投影システムは投影対物レンズの形態で具現される。投影システム３８は、ここでは、例えばシステムコンポーネントとしてミラー４０及び４２を有する。
【００８２】
最後に、ウェーハシステム４４が投影システム３８の下流に配置され、上記ウェーハシステムは、システムコンポーネントとしてウェーハステージ４６及びウェーハ４８を有し、当該ウェーハは像平面５０に配置される。
【００８３】
ＥＵＶ放射線を用いて、レチクル３６のパターンが投影システム３８によってウェーハ４８に結像される。
【００８４】
ここでミラー１６、２２、２４、２６、２８、３０、４０、及び４１の形態で具現された光学素子と並んで、光学系１０又は光学サブシステム１２、１８、及び３８は、光学素子、ここではミラー１６、２２、２４、２６、２８、３０、４０、４２のためのマウント又はホルダ等の機械要素と、例えば位置調整又は変形のために光学素子を操作するアクチュエータとを有することができ、図１は、この種の２つのアクチュエータ５２（ミラー２２用）及び５４（ミラー４２用）を示す。
【００８５】
光学系１０はさらに、光学系１０全体又は上記個々の光学サブシステム１２、１８、３２，３８、４４を冷却するために、且つ／又は光学サブシステム１２、１８、３２，３８、４４の上記システムコンポーネントの個々又は全部を冷却するために、１つ又は複数の冷却システムを備える。
【００８６】
図１は、照明システム１８を冷却する冷却システム６０、レチクルシステム３２を冷却する冷却システム６２、及び投影システム３８を冷却する冷却システム６４を例として示す。
【００８７】
冷却システム６０、６２、及び６４は、照明システム１８、レチクルシステム３２、及び投影システム３８を全体として冷却し、例えば、上記サブシステムに収容されたシステムコンポーネントにとって熱的に安定した環境を作る。しかしながら、外部冷却システム６０、６２、６４の一部であり得るか又は別個の冷却システムを構成し得る冷却システムを個々のシステムコンポーネントに割り当てることも同様に可能である。この種の冷却システムは、コレクタミラー１６（冷却システム６６）、照明システム１８のミラー２２、２４、２６、２８（冷却システム６８、７０、７２、７４）、及び投影システム３０のミラー４０（冷却システム７６）についてここでは例として示される。照明システム１８について例として示すように、例えば照明システムのチャンバである構造体６１を冷却システム６０によって冷却することも同様に可能である。
【００８８】
この場合、図示のように、冷却システム６６、６８、７０、７２、７４、７６は、システムコンポーネント（ミラー１６、２２、２６、２８、４０）に、例えばそのミラー基板に部分的に組み込まれてもよく、又はミラー２４について示すように、ミラーに熱伝導的に接続されるか又はミラーから離れて配置されミラーからの熱放射を吸収するヒートシンクを有してもよい。
【００８９】
図２は、図１のミラー２４を関連の冷却システム７０と共に単独で示す。
【００９０】
ミラー２４は、動作中にＥＵＶ放射線８２が入射するミラー面８０を有する。入射したＥＵＶ放射線８２は、熱矢印８４で示すようにミラー２４への入熱につながる。
【００９１】
冷却システム７０は、ヒートシンク８６を有し、これはミラー２４に熱伝導的に接続され、対応して熱矢印８８で示すように熱伝導によりミラー２４から熱を吸収する。
【００９２】
ヒートシンク８６は、冷却媒体９２を通す少なくとも１つの冷却チャネル９０を有する。
【００９３】
冷却システム７０はさらに、冷却媒体９２を循環させるポンプＰ、冷却媒体９２用のリザーバＲ、及び冷却媒体９２から熱を吸収する熱交換器ＷＴ等の、包括的な参照符号９４の下で組み合わせたユニットをここでは有する。上記ユニット９４は、外部の機械組立体に存在していてもよく、例えば冷却媒体９２を調節するユニット等の冷却システム７０のさらに他の部分をそこに設けることができる。
【００９４】
冷却媒体９２は、供給ライン９６を介して少なくとも１つの冷却チャネル９０へ供給され、排出ライン９８を介して少なくとも１つの冷却チャネル９０から排出される。
【００９５】
冷却媒体９２は、概して、純水を除いた不燃性の誘電性流体を含む。
【００９６】
不燃性の誘電性流体は、特にフルオロカーボン系又はパーフルオロカーボン系又はハイドロフルオロエーテル（ＨＦＥ）系である。
【００９７】
パーフルオロカーボン系の誘電性流体は、例えば、3MからのＦｌｕｏｒｉｎｅｒｔ（登録商標）シリーズからの誘電性流体である。好適な誘電性流体のさらに他の具体例は後述する。
【００９８】
誘電性流体は、概して、多数の異なる沸点で利用可能であり、誘電性流体が熱の吸収にもかかわらず液相に留まる単相用途か、又は流体が熱を吸収する過程で沸騰し、この場合は流体の温度をさらに上昇させることなく潜熱の形態の付加的な熱を吸収できる２相用途のいずれかを可能にする。
【００９９】
この場合、冷却媒体９２は、１つの特定の誘電性流体を含むか若しくは１つの特定の誘電性流体からなっていてもよく、又は冷却媒体９２の副成分であってもよく、その場合は冷却に適した他の物質、特に他の誘電性流体も含み得る。
【０１００】
少なくとも１つの冷却チャネル９０内の誘電性流体は、液相のみで、気相のみで、又は液相及び気相の混合物として存在し得る。少なくとも１つの冷却チャネル９０内の誘電性流体は、概ね大気圧に相当する圧力下にある。供給ライン９６及び／又は排出ライン９８内でも、誘電性流体は概ね大気圧に相当する圧力下にあることが好ましい。
【０１０１】
少なくとも１つの冷却チャネル９０内の誘電性流体は、約１０℃〜約５０℃の範囲、好ましくは約１５℃〜約３５℃の範囲の温度を有する。
【０１０２】
２相冷却用の誘電性流体として、特に冷却媒体９２に用いるものは、大気圧で約１５℃〜約５０℃の温度範囲、好ましくは約２５℃〜約３５℃の温度範囲で沸点を有するようなものである。
【０１０３】
誘電性流体は、約１０℃〜約５０℃の温度範囲で、好ましくは約１５℃〜約３５℃の温度範囲で流体であることが好ましい。
【０１０４】
さらに、冷却媒体９２に用いる誘電性流体は、約１０ＭＶ／ｍ〜約７０ＭＶ／ｍの範囲の絶縁耐力を有する。冷却媒体９２は、約１０ＭＶ／ｍ〜約３０ＭＶ／ｍの範囲の絶縁耐力を有することが好ましい。
【０１０５】
冷却媒体９２に用いる誘電性流体の動粘度は、約２２℃の温度及び大気圧で約１００μＰａ・ｓ〜約２５，０００μＰａ・ｓの範囲にあることが有利である。
【０１０６】
すでに上述したように、冷却媒体９２は、加圧する必要がないように、特に液相と気相との間の相転移で、さらに水の沸点を大幅に下回る温度範囲で、さらに大気圧で働き得る。
【０１０７】
ミラー２４又はヒートシンク８６からの熱吸収の結果として、吸収された熱は、最初は液体の冷却媒体９２の部分的な蒸発につながり、吸収された熱は、冷却媒体９２の温度上昇又は大幅な温度上昇を招くことなく冷却媒体９２に潜熱として蓄えられる。さらに、この場合は冷却媒体９２のわずかな膨張しか生じない。
【０１０８】
言うまでもなく、供給ライン９６内、少なくとも１つの冷却チャネル９０内、及び排出ライン９８内の冷却媒体９２の物質の状態は、同一であってもよいが異なっていてもよい。この点で、冷却媒体９２が少なくとも１つの冷却チャネル９０内に液相で存在する一方で、ミラー２４から熱を吸収すると蒸発して排出ライン９８内では少なくとも部分的に気相で存在することが可能である。冷却媒体９２が、少なくとも１つの冷却チャネル９０内で液相及び気相の混合物として存在することも同様に可能である。
【０１０９】
最後に、冷却媒体９２が、少なくとも１つの冷却チャネル９０内に気相でのみ存在することも可能である。
【０１１０】
単相冷却に関して、例示的な一実施形態では、大気圧及び約１５℃〜３０℃の温度範囲で液体であり、且つ２２℃及び大気圧で約０．３ｃＰ〜１０００ｃＰの動粘度及び１０ＭＶ／ｍ〜約５０ＭＶ／ｍの絶縁耐力を有する不燃性の誘電性流体を利用する。
【０１１１】
２相冷却の例示的な一実施形態では、単相冷却用の流体の上記パラメータに加えて１５℃〜４５℃の沸点を有する不燃性の誘電性流体を利用する。
【０１１２】
冷却媒体９２として用いる不燃性の誘電性流体には、特に、例えば銅及びアルミニウム等の上記システムコンポーネントの典型的な材料に関して全く又はほとんど腐食作用がなく、その結果として光学素子の耐用寿命が延びるという主な利点がある。誘電性流体が不燃性であることで、例えば冷却システムにおいて生じる漏洩及び冷却媒体９２と光学系のうち高温で調節される領域との接触によってもたらされ得る火災の危険が防止される。冷却媒体９２に誘電性流体を用いることによって冷却媒体９２の導電性がないことには、漏洩の場合に冷却媒体と接触する電子コンポーネント又は回路が短絡しないというさらなる利点がある。
【０１１３】
多くのパーフルオロカーボン系の誘電性流体は、さらに人間にとって無害、特に無毒であり、これは、例えばアンモニア又はグリコールを含有した他の冷却媒体にとっては問題となる。ハイドロフルオロエーテル（ＨＦＥ）も誘電性冷却媒体として用いることができる。
【０１１４】
図２の例示的な実施形態では、少なくとも１つの冷却チャネル９０が、ミラー２４の形態のシステムコンポーネントに熱伝導的に接続されたヒートシンク８６に配置されているが、図３は、図１のミラー２２の形態のシステムコンポーネントに割り当てられてこれに部分的に組み込まれた冷却システム６８の例示的な実施形態を示す。
【０１１５】
図３では、ミラー２２のミラー面に参照符号１０２を付け、動作中にＥＵＶ放射線１０４が上記ミラー面に当たることで、それに対応した入熱をミラー２２にもたらす（熱矢印１０６）。
【０１１６】
この例示的な実施形態では、冷却システム６８はミラー２２に部分的に組み込まれ、すなわち、冷却システム６８は、ミラー面１０２付近でミラー２２に組み込まれた１つ又は複数の冷却チャネル１０８を有する。
【０１１７】
冷却チャネル１０８を通る冷却媒体として、この場合も、図２を参照して説明したように純水を除く不燃性の誘電性流体を含む冷却媒体が利用される。
【０１１８】
冷却システム６８は、参照符号１１０で示すようにアクチュエータシステム５２を冷却するために部分的に用いられる。
【０１１９】
図４は、図２の冷却システム７０の変更形態を示し、この変更形態では、ミラー２４はヒートシンク８６に熱伝導的に接続されるのではなく、ヒートシンク８６から離れており、ヒートシンク８６は、熱放射の形態でミラー２４からの熱を吸収する（熱矢印１１２）。ここでは、複数の冷却チャネル９０がヒートシンク８６に存在し、冷却媒体９２（図２参照）がその中を流れており、上記冷却媒体は、この場合も純水を除く不燃性の誘電性流体を含む。
【０１２０】
少なくとも１つの冷却チャネル９０及び冷却チャネル１０８の寸法、幾何学的形状、長さ、及び構成は重要でなく、それぞれの目的に適合させることができる。さらに、冷却媒体９２の流量及び／又は冷却媒体９２の使用圧力は、各冷却対象のシステム内、例えば光学系１２、１８、３２、４４で、又は関連のシステムコンポーネント、例えばミラー２４及び２２で、例えば光学系１０の動作パラメータに応じて変わり得る。
【０１２１】
ミラー２４及び２２は、例えばセグメントミラーとして具現することができ、冷却システム７０又は６８はそれぞれ、全部のミラーセグメントの共通の又は個々のミラーセグメント専用の冷却システムとして具現することができる。
【０１２２】
さらに、言うまでもなく、冷却システム６０、６２、及び６４は、冷却システム７０に関して上述したように具現することができる。
【０１２３】
さらに別の変更形態（図示せず）では、例えば図２に示す例示的な実施形態において、供給ライン９６及び排出ライン９８のみを冷却チャネルとして具現する一方で、冷却チャネル９０の代わりに冷却媒体９２が導入される浸漬浴又は浴を配置することも同様に可能である。この場合、システムコンポーネント２４を上記浴に全体的又は部分的に浸漬させることができ、その場合、冷却媒体９２は上記システムコンポーネントの周りを流れるか又は洗浄する。
【０１２４】
以下において、冷却システム６２、６４、６６、６８、７０、７２、７４、７６で用いることができる誘電性流体のさらに他の実施形態を説明する。
【０１２５】
かかる実施形態の第１群によれば、冷却媒体９２は、不燃性であることが好ましいが純水、１，１，１，２−テトラフルオロエタン（Ｒ１３４ａ）、及びクロロジフルオロメタン（Ｒ２２）ではない誘電性流体を含む。実施形態のこの態様によれば、誘電性流体は、１０ｂａｒ未満の使用圧力及び約１０℃〜約５０℃の温度範囲、好ましくは約１５℃〜約３５℃の温度範囲で液相を含む。
【０１２６】
好適には、誘電性流体は、以下の物質を含む群から選択される：（トランス）−１−クロロ‐３，３，３−トリフルオロプロペン（Ｒ１２３３ｚｄ（Ｅ）），２，３，３，３−テトラフルオロプロペン（Ｒ１２３４ｙｆ）、１，３，３，−テトラフルオロプロペン（Ｒ１２３４ｚｅ）、１，１，１，３，３，３−ヘキサフルオロプロパン（Ｒ２３６ｆａ）、１，１，１３，３−ペンタフルオロプロパン（Ｒ２４５ｆａ）、ドデカフルオロ−２−メチルペンタン−３−オン（Ｎｏｖｅｃ６４９）；１−メトキシヘプタフルオロプロパン（Ｎｏｖｅｃ７０００）、メトキシ−ノナフルオロブタン（Ｎｏｖｅｃ７１００）、エトキシ−ノナフルオロブタン（Ｎｏｖｅｃ７２００）、ペンタン，１，１，１，２，２，３，４，５，５，５−デカフルオロ−３−メトキシ−４−（トリフルオロメチル（trfluoromethyl））−（Ｎｏｖｅｃ７３００）、ヘキサン，３，エトキシ−１，１，１，２，３，４，４，５，５，６，６，６−ドデカフルオロ−２−（トリフルオロメチル）ヘキサン（Ｎｏｖｅｃ７５００）、テトラデカフルオロ−２−メチルヘキサン−３−オン  テトラデカフルオロ−２，４−ジメチルペンタン−３−オン（Ｎｏｖｅｃ７７４）、１，１，１，２，２，３，３，４，４，５，５，６，６，６−テトラデカフルオロヘキサン（ＦＣ７２）、パーフルオロトリ−Ｎ−ブチルアミン（ＦＣ４３）、パーフルオロトリペンチルアミン（ＦＣ７０）、パーフルオロトリプロピルアミン（ＦＣ３２８３）。
【０１２７】
上記誘電性流体は全て、ＥＵＶ光学系の冷却用途で概して使用可能であり、これらの誘電性流体のいくつかは、２相冷却及び単相冷却を考えた場合に他のものよりも有利である。
【０１２８】
別の実施形態によれば、冷却媒体９２は、１，１，１，２−テトラフルオロエタン（Ｒ１３４ａ）であり、この実施形態では、Ｒ１３４ａは単相（液体）でのみ操作される。
【０１２９】
表１（説明の最後）に、上記誘電性流体並びに水、ＣＯ２（Ｒ７４４）、エタノール、及びメタノールの関連の熱物性を挙げる。表１に挙げた熱物性は、使用圧力１バールでの飽和温度Ｔｓａｔ；ＥＵＶリソグラフィシステムの関心の使用温度である温度２２℃での飽和圧力Ｐｓａｔ；三重点；臨界温度Ｔｃｒｉｔｉｃａｌ；臨界圧Ｐｃｒｉｔｉｃａｌ；液（蒸気）相の密度と気相の密度との間の比である密度比；４０％蒸気相の２相状態での粘度；液体粘度；液体密度；温度２５℃での潜熱；温度２５℃での比熱；０．２５ｃｍギャップの絶縁耐力；誘電率；及び地球温暖化係数（ＧＷＰ）である。
【０１３０】
図５〜図８は、表１に挙げた流体の飽和曲線の図を示す。各飽和曲線は、気（蒸気）相（対応の飽和曲線の下）と液相（対応の飽和曲線の上）との間の界面に対応する。
【０１３１】
図５は、誘電性流体Ｒ１３４ａ、Ｒ１２３４ｙｆ、Ｒ１２３４ｚｅ、Ｒ２３６ｆａ、Ｒ２４５ｆａ、及びＲ１２３３ｚｄ（Ｅ）の飽和曲線を示す。図５から分かり得るように、上記誘電性流体の全部が、約１５℃〜約３５℃の好適な温度範囲で液相を含む。
【０１３２】
図６は、誘電性流体Ｎｏｖｅｃ７０００、Ｎｏｖｅｃ６４９、Ｎｏｖｅｃ７１００、Ｎｏｖｅｃ７７４、Ｎｏｖｅｃ７２００、Ｎｏｖｅｃ７３００、及びＮｏｖｅｃ７５００の飽和曲線を示す。
【０１３３】
図７は、誘電性流体ＦＣ７２、ＦＣ３２８３、ＦＣ４３、及びＦＣ７０の飽和曲線を示す。
【０１３４】
最後に、図８は、メタノール及びエタノールの飽和曲線を示す。
【０１３５】
図５〜図８の飽和曲線に基づき、特に約１５℃〜約３５℃の温度範囲である関心の温度範囲で、好ましくはＥＵＶリソグラフィシステムの好適な使用温度範囲である約１８℃〜約２３℃の温度で、考えられる２相冷却システムが（受動熱サイフォン又は能動ポンプ式冷却システムとして）動作し得る圧力レベルを評価することができる。エタノール、メタノール、及び図６及び図７に飽和曲線を示す流体の全部が２相冷却用途で大気圧未満及び考慮した温度範囲で機能することを、図６〜図８から読み取ることができ、これは、冷却システムへの空気汚染がわずかな漏れでも生じ得ることを意味する。その代わりに、図５に飽和曲線を示す流体は、温度約２０℃で正の使用圧力、すなわち大気圧よりも高い使用圧力、すなわち１．３ｂａｒ〜６ｂａｒを有する。比較すると、ＣＯ２の飽和圧力は２２℃の温度で約６０ｂａｒなので、冷却媒体としてのＣＯ２は、少なくとも一部が液相であるために非常高い使用圧力を必要とする。このような高い使用圧力には、冷却システムの耐漏性を確保するために非常に高い構造費用が必要となる。
【０１３６】
２相冷却で大気圧をわずかに上回る使用圧力、したがって正の使用圧力の基準に関して、誘電性流体Ｒ１２３３ｚｄ（Ｅ）及びＲ２４５ｆａが冷却媒体として特に適しているが、誘電性流体Ｒ１２３４ｙｆ、Ｒ１２３４ｚｅ、及びＲ２３６ｆａも同様である。
【０１３７】
しかしながら、冷却媒体９２としての誘電性流体の選択は、適切な使用圧力に応じて変わるだけでなく、密度及び粘度等の他のパラメータも冷却媒体の選択時に考慮しなければならない。その理由は、これらのパラメータが、システムの圧力降下、すなわちポンプ式冷却システムのポンプ動力において強い影響があるからである。
【０１３８】
適した誘電性流体の選択に関連する別のパラメータは、表１に挙げた流体についてそこに示した絶縁耐力であり、これは誘電率よりも流体の電気絶縁性をよりよく表すものである。その理由は、高い誘電率は流体の電気絶縁性が良好であることを意味するものではないからである。絶縁耐力に関しては、表１に挙げた全部の誘電性流体が適している。
【０１３９】
特に２相冷却用途に関する別の関連パラメータは、冷却媒体の潜熱である。表１に、関心の誘電性流体の２５℃の温度での潜熱を示す。潜熱が高いほど、冷却能力の可能性が高い。
【０１４０】
潜熱に関しては、誘電性流体Ｒ１２３３ｚｄ（Ｅ）、Ｒ１２３４ｙｆ、Ｒ１２３４ｚｅ、Ｒ２３６ｆａ、Ｒ２４５ｆａが、上記流体と同じオーダの潜熱を示すＮｏｖｅｃ７０００を除くＮｏｖｅｃ流体よりも有利である。水、エタノール、及びメタノールは、最高の潜熱値を有するが、これらの流体の使用には、２５℃の飽和条件に約０．０３ｂａｒ、０．０８ｂａｒ、及び０．２ｂａｒの使用圧力が必要であり、したがって莫大な２相摩擦圧力降下が非常に不安定なプロセスにつながる。
【０１４１】
受動冷却用途、例えば熱サイフォンループ冷却システムの場合、液体又は動粘度と、液相の密度対蒸気相又は気相の密度の比を意味する密度比とが重要なパラメータである。これらのパラメータは、システムの圧力降下及び冷却能力（冷却ループの質量流量）に著しく影響を及ぼす。理想的な冷却媒体は、密度比が高く（高い冷却能力）粘度が低い（小さな圧力降下）。Ｎｏｖｅｃ及びＦＣ誘電性流体並びにエタノール及びメタノールは、流量を増加させる最高の密度比を有するが、流量を減少させる高い粘度も有する。
【０１４２】
この点で、誘電性流体ＦＣ７２は、Ｒ２４５ｆａ及びＲ１２３３ｚｄ（Ｅ）よりも高い密度比及び低い粘度を有するので、熱サイフォン冷却システムにより適していると思われ、メタノール（但し、引火性及び毒性が高い）も良い選択だと思われるが、他の３つの上記誘電性流体よりも高い粘度を有する。流体ＦＣ７２及びメタノールの負の側面は、大気圧未満の使用圧力（それぞれ約０．２７ｂａｒ及び約０．１５ｂａｒ）であり、これは１．３２ｂａｒ及び１．１４ｂａｒで働き得るＲ２４５ｆａ及びＲ１２３３ｚｄ（Ｅ）の場合とは異なる。すでに上述したように、真空条件下で働く冷却媒体には、漏洩の場合の空気汚染及び特別な脱気装置が必要であるという欠点がある。
【０１４３】
図９を参照して、熱サイフォン冷却システムにおける冷却媒体の性能に対する密度比及び粘度の影響を説明する。高さ（Ｌ）が２０ｃｍで直径（Ｄ）が１ｃｍの断熱鉛直管（ライザ）内の圧力降下ΔＰを、質量流量の関数として計算した。圧力降下ΔＰは、次式に示すように、摩擦項及び重力項と断熱２相流（乾き度（vapor quality）４０％）を考慮して求めた。
【数１】
2016505882.tif 000003
式中、ρは密度、ｇは地球の重力、Δｈは高低差、ｍは質量、ｆは十分に発達した層流（６４／レイノルズ）を仮定して求めた摩擦係数である。
【０１４４】
図９から分かり得るように、メタノール及びＦＣ７２の圧力降下は、小さな質量流量でのみ最小となり、７．５ｋｇｈ−１よりも大きな質量流量ではＲ２４５ｆａが最小であった。高圧圧流体、すなわちＲ１２３４ｙｆ、Ｒ１３４ａ、Ｒ１２３４ｚｅ、及びＲ２３６ｆａは、より均一な圧力降下を示し、それらの値は、大きな質量流量（高い冷却能力）を考えた場合に低圧流体の値と同程度である。
【０１４５】
メタノール及びＦＣ７２は、図９で分析した流体の最高密度比を有し、これは熱サイフォンループ冷却システムでは質量流量がより大きい可能性があることを意味するが、これらの圧力降下は、小さな質量流量ではＲ２４５ｆａ及びＲ１２３３ｚｄ（Ｅ）について得られる値と同様であり、大きな質量流量ではそれらの値よりも大きい。したがって、大きな密度比に関連する潜在的利益は、大きな圧力降下によって相殺される。
【０１４６】
潜熱を用いることができない単相冷却の場合、関連パラメータは、比熱（一定の質量流量及び流体温度勾配を考えた場合に値が大きいほど高い冷却能力を意味する）及び粘度（冷却システムの圧力降下、したがってポンプ式冷却システムのポンプ動力に関連する）である。誘電性流体Ｒ１３４ａ、Ｒ１２３４ｙｆ、Ｒ１２３４ｚｅ、Ｒ２４５ｆａ、及びＮｏｖｅｃ７０００は、表１によれば最大の比熱値を示すが、Ｒ２４５ｆａ及びＮｏｖｅｃ７０００は、液体粘度の値がより大きく、これは大きな圧力降下及びポンプ動力を意味する。実際には、流体ＣＯ２、エタノール、メタノールは、表１によれば最大の比熱値を示すが、高圧（ＣＯ２）、大気圧未満の圧力（エタノール、メタノール）、高粘度（エタノール、メタノール）、引火性（エタノール、メタノール）、及び毒性（メタノール）等の側面が、これらの流体の使用をかなり制限する。
【０１４７】
単相冷却と２相冷却とを比較すると、２相冷却には、飽和プロセスによって熱源（例えば、冷却対象のコンポーネント）のより均一な温度を自然に維持するという利点がある。また、単相システムは、冷却対象の表面に沿った最小の温度勾配、したがって光機械コンポーネント、システム、及び構造の均一な温度を保証するためにより大きな質量流量値を必要とするので、より小さな質量流量及びポンプ動力（能動ポンプ式冷却システムを考えた場合）が可能である。
【０１４８】
流体Ｒ１３４ａ、Ｎｏｖｅｃ７０００、及び水について考え、流体Ｒ１３４ａを２相冷却で用いて潜熱の４０％が用いられる（蒸発器の出口における乾き度が４０％）と仮定し、他の２つの流体を単相冷却で用いて温度勾配が３℃と考えた場合、質量流量は、５０Ｗの冷却能力に関してそれぞれ２．５３ｋｇｈ−１、４６．２ｋｇｈ−１、及び１４．３ｋｇｈ−１となり、これは２相冷却を考えた場合により小さなポンプ動力消費を意味する。
【０１４９】
臨界温度及び臨界圧（表１参照）は、表１に挙げた全流体が関心の熱力学的条件で、すなわち約２２℃の温度で適用可能であることを示す。ＣＯ２については特に注意する必要があるが、その理由は、これが約３１℃を上回ると明確な液相及び気相が存在しない超臨界領域で機能するからである。最終製品の輸送中に負の周囲温度に達し得るとともに、作動流体が凝固する結果として冷却システムに損傷を与え得るので、三重点も考慮に入れるべき重要なパラメータである。流体Ｒ１２３４ｙｆ、Ｎｏｖｅｃ７３００、ＦＣ７２、ＦＣ４３、ＦＣ３２８３、ＣＯ２、及び水に関しては、三重点は比較的高く、これらの流体は、寒冷時のこのようなシステムの運送中に凍結し得る。
【０１５０】
さらに、地球温暖化係数（ＧＷＰ）を考慮すると、水の次に最良の流体は、ＣＯ２、Ｒ１２３３ｚｄ（Ｅ）、Ｒ１２３４ｙｆ、Ｒ１２３４ｚｅ、Ｎｏｖｅｃ６４９、及びＮｏｖｅｃ７７４である。
【０１５１】
上記を要約するために、２相流及び受動冷却システム（例えば、熱サイフォンループシステム）に関しては、Ｒ２４５ｆａ及びＲ１２３３ｚｄ（Ｅ）は、冷却媒体９２として用いるのに最も有利な誘電性流体であり、ある範囲の比較的大きな質量流量での小さな圧力降下及び大きな密度比を示した。
【０１５２】
能動ポンプ式冷却システムに関して、２相冷却は、（潜熱移動、したがって冷却対象のコンポーネントの非常に均一な温度に起因して）冷却媒体の温度の均一性が高く、ポンプ動力も小さい。作動流体Ｒ１２３３ｚｄ（Ｅ）、Ｒ１２３４ｙｆ、Ｒ１２３４ｚｅ、Ｒ２３６ｆａ、Ｒ２４５ｆａ、Ｒ１３４ａ、及びＮｏｖｅｃ７０００は、最高の潜熱値を示すが、Ｒ１３４ａ、Ｒ１２３４ｙｆ、及びＲ１２３４ｚｅの粘度、したがってシステム内の圧力降下は、Ｎｏｖｅｃ７０００のものよりも低い。
【０１５３】
単相冷却に関して、誘電性流体Ｒ１３４ａが水の次に最も有利なものだが、水の欠点（漏洩の場合に光学系及び電子機器の損傷の危険性が高い）がない。Ｒ１３４ａは、単相冷却に必須である高い比熱及び低い粘度を有する。Ｒ１３４ａは、２２℃の温度で６．０８ｂａｒの飽和圧力を有し、したがって約６．１ｂａｒ〜約１０ｂａｒの使用圧力下で操作することができる。
【０１５４】
【表１】
2016505882.tif 000004
【図１】
2016505882.tif 000005
【図２】
2016505882.tif 000006
【図３】
2016505882.tif 000007
【図４】
2016505882.tif 000008
【図５】
2016505882.tif 000009
【図６】
2016505882.tif 000010
【図７】
2016505882.tif 000011
【図８】
2016505882.tif 000012
【図９】
2016505882.tif 000013
【国際調査報告】
2016505882.tif 000014
2016505882.tif 000015
2016505882.tif 000016
2016505882.tif 000017
2016505882.tif 000018